【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
メディアコンテンツを記録するシステムであって、
前記メディアコンテンツに対応するインデックスデータ及びトランスポートストリームデータを、アクセスポイント境界で周期的な間隔で個別的なファイルに分割するセグメント化装置であって、前記個別的なファイルの各々は各自のトランスポートセグメント及び各自のインデックスセグメントを含む、セグメント化装置と、
前記個別的なファイルを保存するセグメントストレージ装置と
を有するシステム。
【請求項２】
当該システムはセグメントデータベースを有し、
前記セグメント化装置は、一群のトランスポートセグメントが連続的に再生されることを可能にする情報を前記セグメントデータベースに保存し、前記一群のトランスポートセグメントの各々は各自の番組に対応している、請求項１に記載のシステム。
【請求項３】
当該システムはセグメントレコードを保存するセグメントデータベースを有し、
前記セグメントレコードの各々は、各自のトランスポートセグメントに対応し、
前記セグメントレコードの各々は、固有のセグメント識別子と、各自のトランスポートセグメントのトランスポートストリームデータを保存するファイルを示すトランスポートファイルインジケータと、各自のトランスポートセグメントのインデックス情報を保存するファイルを示すインデックスファイルインジケータと、各自のトランスポートセグメントの開始時間と、各自のトランスポートセグメントの終了時間とを含む、請求項１に記載のシステム。
【請求項４】
追加されるセグメントを含む新たな記録のシームレスな再生のために、新たな記録の先頭に、他の記録からのセグメントを追加する記録制御装置を有する請求項１に記載のシステム。
【請求項５】
固定長のローリングバッファをシミュレートするために、進行中の対象の記録の先頭からセグメントを打ち切る記録制御装置を有する請求項１に記載のシステム。
【請求項６】
前記個別的なファイルが既存の又は通常のファイルシステムを用いて保存される、請求項１に記載のシステム。
【請求項７】
メディアコンテンツを記録する方法であって、
前記メディアコンテンツに対応するインデックスデータ及びトランスポートストリームデータを、アクセスポイント境界で周期的な間隔で個別的なファイルに分割するステップであって、前記個別的なファイルの各々は各自のトランスポートセグメント及び各自のインデックスセグメントを含む、ステップと、
前記個別的なファイルをセグメントストレージ装置に保存するステップと
を有する方法。
【請求項８】
一群のトランスポートセグメントが連続的に再生されることを可能にする情報をセグメントデータベースに保存するステップであって、前記一群のトランスポートセグメントの各々は各自の番組に対応している、ステップを有する請求項７に記載の方法。
【請求項９】
セグメントレコードをセグメントデータベースに保存するステップを更に有し、
前記セグメントレコードの各々は、各自のトランスポートセグメントに対応し、
前記セグメントレコードの各々は、固有のセグメント識別子と、各自のトランスポートセグメントのトランスポートストリームデータを保存するファイルを示すトランスポートファイルインジケータと、各自のトランスポートセグメントのインデックス情報を保存するファイルを示すインデックスファイルインジケータと、各自のトランスポートセグメントの開始時間と、各自のトランスポートセグメントの終了時間とを含む、請求項７に記載の方法。
【請求項１０】
追加されるセグメントを含む新たな記録のシームレスな再生のために、新たな記録の先頭に、他の記録からのセグメントを追加するステップを有する請求項７に記載の方法。
【請求項１１】
固定長のローリングバッファをシミュレートするために、進行中の対象の記録の先頭からセグメントを打ち切るステップを有する請求項７に記載の方法。
【請求項１２】
前記個別的なファイルが既存の又は通常のファイルシステムを用いて保存される、請求項７に記載の方法。
【請求項１３】
請求項７に記載の方法をコンピュータシステムに実行させるコンピュータ読み取り可能なプログラムコードを有するコンピュータプログラム。
【請求項１４】
メディアコンテンツを再生するシステムであって、
個別的なファイルを保存するセグメントストレージ装置であって、前記個別的なファイルの各々が、前記メディアコンテンツに対応するインデックスデータ及びトランスポートストリームから取得された各自のインデックスセグメント及び各自のトランスポートセグメントを含む、セグメントストレージ装置と、
前記トランスポートセグメントのシームレスな再生のために、前記個別的なファイルからトランスポートセグメントを再構築するデセグメント化装置と
を有するシステム。
【請求項１５】
当該システムはセグメントデータベースを有し、
前記デセグメント化装置は、一群のトランスポートセグメントが連続的に再生されることを可能にする情報を前記セグメントデータベースから取得し、前記一群のトランスポートセグメントの各々は各自の番組に対応している、請求項１４に記載のシステム。
【請求項１６】
当該システムはセグメントレコードを保存するセグメントデータベースを有し、
前記セグメントレコードの各々は、各自のトランスポートセグメントに対応し、
前記セグメントレコードの各々は、固有のセグメント識別子と、各自のトランスポートセグメントのトランスポートストリームデータを保存するファイルを示すトランスポートファイルインジケータと、各自のトランスポートセグメントのインデックス情報を保存するファイルを示すインデックスファイルインジケータと、各自のトランスポートセグメントの開始時間と、各自のトランスポートセグメントの終了時間とを含む、請求項１４に記載のシステム。
【請求項１７】
前記個別的なファイルが既存の又は通常のファイルシステムを用いて保存される、請求項１４に記載のシステム。
【請求項１８】
メディアコンテンツを再生する方法であって、
個別的なファイルをセグメントストレージ装置に保存するステップであって、前記個別的なファイルの各々が、前記メディアコンテンツに対応するインデックスデータ及びトランスポートストリームから取得された各自のインデックスセグメント及び各自のトランスポートセグメントを含む、ステップと、
前記トランスポートセグメントのシームレスな再生のために、個別的なファイルからトランスポートセグメントを再構築するステップと
を有する方法。
【請求項１９】
一群のトランスポートセグメントが連続的に再生されることを可能にする情報をセグメントデータベースから取得するステップであって、前記一群のトランスポートセグメントの各々は各自の番組に対応している、ステップを有する請求項１８に記載の方法。
【請求項２０】
セグメントレコードをセグメントデータベースに保存するステップを更に有し、
前記セグメントレコードの各々は、各自のトランスポートセグメントに対応し、
前記セグメントレコードの各々は、固有のセグメント識別子と、各自のトランスポートセグメントのトランスポートストリームデータを保存するファイルを示すトランスポートファイルインジケータと、各自のトランスポートセグメントのインデックス情報を保存するファイルを示すインデックスファイルインジケータと、各自のトランスポートセグメントの開始時間と、各自のトランスポートセグメントの終了時間とを含む、請求項１８に記載の方法。
【請求項２１】
前記個別的なファイルが既存の又は通常のファイルシステムを用いて保存される、請求項１８に記載の方法。
【請求項２２】
請求項１８に記載の方法をコンピュータシステムに実行させるコンピュータ読み取り可能なプログラムコードを有するコンピュータプログラム。
【手続補正２】
【補正対象書類名】明細書
【補正対象項目名】０１５０
【補正方法】変更
【補正の内容】
【０１５０】
＜関連出願＞
本願は西暦2012年1月9日付けで出願された米国仮出願第61/584,351号による優先的利益を享受し、その内容全体をリファレンスに組み入れている。
上記の実施形態に対する付記を以下に例示的に示す。
（付記１）
メディアコンテンツを記録するシステムであって、
前記メディアコンテンツに対応するインデックスデータ及びトランスポートストリームデータを、アクセスポイント境界で周期的な間隔で個別的なファイルに分割するセグメント化装置であって、前記個別的なファイルの各々は各自のトランスポートセグメント及び各自のインデックスセグメントを含む、セグメント化装置と、
前記個別的なファイルを保存するセグメントストレージ装置と
を有するシステム。
（付記２）
当該システムはセグメントデータベースを有し、
前記セグメント化装置は、一群のトランスポートセグメントが連続的に再生されることを可能にする情報を前記セグメントデータベースに保存し、前記一群のトランスポートセグメントの各々は各自の番組に対応している、付記１に記載のシステム。
（付記３）
当該システムはセグメントレコードを保存するセグメントデータベースを有し、
前記セグメントレコードの各々は、各自のトランスポートセグメントに対応し、
前記セグメントレコードの各々は、固有のセグメント識別子と、各自のトランスポートセグメントのトランスポートストリームデータを保存するファイルを示すトランスポートファイルインジケータと、各自のトランスポートセグメントのインデックス情報を保存するファイルを示すインデックスファイルインジケータと、各自のトランスポートセグメントの開始時間と、各自のトランスポートセグメントの終了時間とを含む、付記１に記載のシステム。
（付記４）
新たな記録の先頭に、他の記録に属するセグメントを追加し、追加されるセグメントと新たな記録をシームレスに再生するための記録制御装置を有する付記１に記載のシステム。
（付記５）
固定長のローリングバッファをシミュレートするために、対象の記録の先頭からセグメントを打ち切る記録制御装置を有する付記１に記載のシステム。
（付記６）
前記個別的なファイルが既存の又は通常のファイルシステムを用いて保存される、付記１に記載のシステム。
（付記７）
メディアコンテンツを記録する方法であって、
前記メディアコンテンツに対応するインデックスデータ及びトランスポートストリームデータを、アクセスポイント境界で周期的な間隔で個別的なファイルに分割するステップであって、前記個別的なファイルの各々は各自のトランスポートセグメント及び各自のインデックスセグメントを含む、ステップと、
前記個別的なファイルをセグメントストレージ装置に保存するステップと
を有する方法。
（付記８）
一群のトランスポートセグメントが連続的に再生されることを可能にする情報をセグメントデータベースに保存するステップであって、前記一群のトランスポートセグメントの各々は各自の番組に対応している、ステップを有する付記７に記載の方法。
（付記９）
セグメントレコードをセグメントデータベースに保存する場合において、
前記セグメントレコードの各々は、各自のトランスポートセグメントに対応し、
前記セグメントレコードの各々は、固有のセグメント識別子と、各自のトランスポートセグメントのトランスポートストリームデータを保存するファイルを示すトランスポートファイルインジケータと、各自のトランスポートセグメントのインデックス情報を保存するファイルを示すインデックスファイルインジケータと、各自のトランスポートセグメントの開始時間と、各自のトランスポートセグメントの終了時間とを含む、付記７に記載の方法。
（付記１０）
新たな記録の先頭に、他の記録に属するセグメントを追加し、追加されるセグメントと新たな記録をシームレスに再生するステップを有する付記７に記載の方法。
（付記１１）
固定長のローリングバッファをシミュレートするために、対象の記録の先頭からセグメントを打ち切るステップを有する付記７に記載の方法。
（付記１２）
前記個別的なファイルが既存の又は通常のファイルシステムを用いて保存される、付記７に記載の方法。
（付記１３）
付記７に記載の方法をコンピュータシステムに実行させるプログラムコードを有するコンピュータ読み取り可能な記憶媒体。  
（付記１４）
メディアコンテンツを再生するシステムであって、
個別的なファイルを保存するセグメントストレージ装置であって、前記個別的なファイルの各々が、前記メディアコンテンツに対応するインデックスデータ及びトランスポートストリームから取得された各自のインデックスセグメント及び各自のトランスポートセグメントを含む、セグメントストレージ装置と、
前記トランスポートセグメントのシームレスな再生のために、前記個別的なファイルからトランスポートセグメントを再構築するデセグメント化装置と
を有するシステム。
（付記１５）
当該システムはセグメントデータベースを有し、
前記デセグメント化装置は、一群のトランスポートセグメントが連続的に再生されることを可能にする情報を前記セグメントデータベースから取得し、前記一群のトランスポートセグメントの各々は各自の番組に対応している、付記１４に記載のシステム。
（付記１６）
当該システムはセグメントレコードを保存するセグメントデータベースを有し、
前記セグメントレコードの各々は、各自のトランスポートセグメントに対応し、
前記セグメントレコードの各々は、固有のセグメント識別子と、各自のトランスポートセグメントのトランスポートストリームデータを保存するファイルを示すトランスポートファイルインジケータと、各自のトランスポートセグメントのインデックス情報を保存するファイルを示すインデックスファイルインジケータと、各自のトランスポートセグメントの開始時間と、各自のトランスポートセグメントの終了時間とを含む、付記１４に記載のシステム。
（付記１７）
前記個別的なファイルが既存の又は通常のファイルシステムを用いて保存される、付記１４に記載のシステム。
（付記１８）
メディアコンテンツを再生する方法であって、
個別的なファイルをセグメントストレージ装置に保存するステップであって、前記個別的なファイルの各々が、前記メディアコンテンツに対応するインデックスデータ及びトランスポートストリームから取得された各自のインデックスセグメント及び各自のトランスポートセグメントを含む、ステップと、
前記トランスポートセグメントのシームレスな再生のために、前記個別的なファイルからトランスポートセグメントを再構築するステップと
を有する方法。
（付記１９）
一群のトランスポートセグメントが連続的に再生されることを可能にする情報をセグメントデータベースから取得するステップであって、前記一群のトランスポートセグメントの各々は各自の番組に対応している、ステップを有する付記１８に記載の方法。
（付記２０）
セグメントレコードをセグメントデータベースに保存する場合において、
前記セグメントレコードの各々は、各自のトランスポートセグメントに対応し、
前記セグメントレコードの各々は、固有のセグメント識別子と、各自のトランスポートセグメントのトランスポートストリームデータを保存するファイルを示すトランスポートファイルインジケータと、各自のトランスポートセグメントのインデックス情報を保存するファイルを示すインデックスファイルインジケータと、各自のトランスポートセグメントの開始時間と、各自のトランスポートセグメントの終了時間とを含む、付記１８に記載の方法。
（付記２１）
前記個別的なファイルが既存の又は通常のファイルシステムを用いて保存される、付記１８に記載の方法。
（付記２２）
付記１８に記載の方法をコンピュータシステムに実行させるプログラムコードを有するコンピュータ読み取り可能な記憶媒体。